(57)【要約】      （修正有）【課題】ベッドの前後方向に付属品等を移動調節可能とする取付具とすると共に、付属品等を倒伏した状態でも保持することもできる付属品等の取付具を提供する。【解決手段】ベッドに設けられた付属品等の取付部に取付可能に構成すると共に、ベッドの前後方向でベッドの付属品等の取付部と略平行な状態で支持部材６が位置するように構成されたレール部２と、付属品等が取付可能となるように筒状部材１０を備えると共に、支持部材６に沿って前後に移動及び固定可能なロック部を具備した摺動部３とから構成する。【選択図】図１
2007252881.tif 000002
【特許請求の範囲】
【請求項１】
ベッドに設けられた付属品等の取付部に取付可能に構成すると共に、ベッドの前後方向でベッドの付属品等の取付部と略平行な状態で支持部材が位置するように構成されたレール部と、付属品等が取付可能となるように筒状部材を備えると共に、支持部材に沿って前後に移動及び固定可能なロック部を具備した摺動部とからなることを特徴とするベッドにおける付属品等の取付具。
【請求項２】
ベッドに対して立設する状態とベッドの床面に対して少なくとも略平行な状態とに適宜設定可能なロック部を具備してなる摺動部を備えたことを特徴とする請求項１に記載の付属品等の取付具。
【請求項３】
ボルト部材の締め付けによりガイドブラケット内でボルト部材により作動する圧接部材を備えることにより支持部材に沿って移動自在かつ保持拘束可能に構成されたロック部において、握持可能な握持部を備えたボルト部材としたことを特徴とする請求項１あるいは請求項２に記載の付属品等の取付具。
【請求項４】
摺動部に固定柵部を固着すると共に、この固定柵部の前方に回動自在な可動柵部を備えたことを特徴とする請求項１から請求項３のいずれか一項に記載の付属品等の取付具。
【発明の詳細な説明】
【技術分野】
【０００１】
本発明は、ベッドの側部で移動自在にサイドレール等の付属品を取り付けられるようにしたベッドにおける付属品等の取付具に関するものである。
【背景技術】
【０００２】
従来、介護用ベッド、または一般用ベッドに関わらずベッド側面には、使用者や布団等の落下防止あるいは離床の際の手掛かりとするためにサイドレールを装着して使用されている。このようなサイドレールには、様々な構造のものがある。その中でも、差し込み式のサイドレールは構造が単純であり、取り扱いも容易であるので、さかんに用いられている。
【０００３】
この差し込み式のサイドレールは、通常、ベッドのフレームに設けられた付属品取付用の取付穴に差し込んで取り付けることが一般的な構造である。
しかしながら、この取付穴は一般的に４００ｍｍ間隔で４，５箇所に設けられているものである。
そのため、この取付穴にサイドレールを装着して使用する場合には、使用者に合った位置あるいは、使用者の所望の位置にサイドレールを配置することはできない構造となっていた。したがって、使用者によって異なる最適な位置に調節することができず、取り付けたサイドレールの位置にあわせるように身体の向きを変え、立ち上がらなければならず、不便であった（特許文献１参照）。
【０００４】
また、ベッドの床部を少なくとも背受ボトムと腰受ボトムと脚受ボトムとに分割して、それぞれが起伏動作可能に構成されると共に、腰受ボトムの下方位置に脚受ボトムが収納される状態となることも可能に構成されたベッドが提案されている。
このベッドであれば、背上げした状態で脚受ボトムが腰受ボトムの下方に収納された状態となり、床部が椅子状態となっているので、使用者は身体の向きを変えることなく着座した姿勢から前方へ立ち上がることが容易でき、従来のベッドに比較して離床し易いものとなっている（特許文献２参照）。
しかしながら、従来のベッドではベッドの側方から立ち上がることが想定されており、この種のベッドに合わせたサイドレールとなっていることと、付属品取付用の取付穴によって位置決めされてしまうことによって、立ち上がる方向が異なった場合には把持部となる部位が把持し易い位置に位置させることができないなど、使い勝手が悪いものとなっていた。
【０００５】
【特許文献１】特開２００２−１３６５５５号公報
【特許文献２】特開平９−３１３５４６号公報
【発明の開示】
【発明が解決しようとする課題】
【０００６】
上述したように、ベッドのフレームに設けられた付属品用の取付穴に付属品であるサイドレールを装着した場合には、所望の位置にサイドレールを配置することができず、不便である場合がある。さらに、仰臥姿勢から腰掛姿勢に自動的に姿勢変更可能なベッドを使用している際には、前方への立ち上がりの際に布団などを足元に置くことができず、置き場所に苦慮する場合があった。
これらの問題点に鑑み、本発明では、ベッドの前後方向に付属品等を移動調節可能とする取付具とすると共に、付属品等を倒伏した状態でも保持することもできる付属品等の取付具を提供することを課題としている。
【課題を解決するための手段】
【０００７】
上記の課題を解決するために、請求項１の発明は、ベッドに設けられた付属品等の取付部に取付可能に構成すると共に、ベッドの前後方向でベッドの付属品等の取付部と略平行な状態で支持部材が位置するように構成されたレール部と、付属品等が取付可能となるように筒状部材を備えると共に、支持部材に沿って前後に移動及び固定可能なロック部を具備した摺動部とからなることを特徴とするベッドにおける付属品等の取付具としている。
そして、請求項２の発明は、ベッドに対して立設する状態とベッドの床面に対して少なくとも略平行な状態とに適宜設定可能なロック部を具備してなる摺動部を備えたことを特徴としている。
また、請求項３の発明は、ボルト部材の締め付けによりガイドブラケット内でボルト部材により作動する圧接部材を備えることにより支持部材に沿って移動自在かつ保持拘束可能に構成されたロック部において、握持可能な握持部を備えたボルト部材としたことを特徴としている。
さらに、請求項４の発明は、摺動部に固定柵部を固着すると共に、この固定柵部の前方に回動自在な可動柵部を備えている。
【発明の効果】
【０００８】
請求項１の発明では、ベッドにおける付属品等の取付具をレール部と、摺動部とから構成している。そして、レール部はベッドに設けられた付属品等の取付部に取付可能に構成されると共に、ベッドの前後方向でベッドの付属品等の取付部と略平行な状態で支持部材が位置するように構成されている。また、摺動部は付属品等が取付可能となるように筒状部材を備えると共に、レール部の支持部材に沿って前後に移動可能であり、所望の位置で固定できるようにロック部が具備されている。したがって、この取付具に取り付けた付属品等をベッドの前後方向に移動することができ、使用者等の所望の位置に設定できる。また、その位置での固定ができるので安全に使用することができる。
請求項２の発明では、取付具に取り付けた付属品等をベッドに対して立設する状態と、ベッドの床面に対して少なくとも略平行な状態とに適宜設定可能なロック部を具備した摺動部としている。したがって、例えば付属品としてサイドレールを取り付けた状態で、ベッドの床面に対して略平行な状態とすることができる。このときには、サイドレールの広い面を簡易的に布団置きとしても使用することができ、とても便利である。
請求項３の発明では、ロック部をボルト部材の締め付けによりガイドブラケット内でボルト部材により作動する圧接部材を備えることにより支持部材に沿って移動自在かつ保持拘束可能に構成している。そして、このボルト部材は、手で握ることができるように握持部が設けられている。したがって、握力の低下された方であっても容易に操作できるようになっている。
請求項４の発明では、摺動部に固定柵部が固着されると共に、この固定柵部の前方に回動自在な可動柵部が備えられている。そのため、摺動部の前後移動に伴い、固定柵部及び可動柵部を所望の位置に設定できるだけでなく、可動柵部を回動させることにより、さらに、使用しやすいものとなっている。
【発明を実施するための最良の形態】
【０００９】
ベッドにおける付属品等の取付具とするために、ベッドに設けられた付属品等の取付部に取付可能に構成すると共に、ベッドの前後方向でベッドの付属品等の取付部と略平行な状態で支持部材が位置するように構成されたレール部と、付属品等が取付可能となるように筒状部材を備えると共に、支持部材に沿って前後に移動及び固定可能なロック部を具備した摺動部とから構成する。
さらに、ベッドに対して立設する状態とベッドの床面に対して少なくとも略平行な状態とに適宜設定可能なロック部を具備してなる摺動部とする。
そして、ボルト部材の締め付けによりガイドブラケット内でボルト部材により作動する圧接部材を備えることにより支持部材に沿って移動自在かつ保持拘束可能に構成されたロック部において、握持可能な握持部を備えたボルト部材とする。
また、摺動部に固定柵部を固着すると共に、この固定柵部の前方に回動自在な可動柵部を備える。
【実施例１】
【００１０】
以下、本発明に係るベッドＢ等における付属品等の取付具１について図面に基づいて説明する。
本発明に係るベッドＢ等における付属品の取付具１は、第１図に示すようにベッドＢへの取付部となるレール部２と、このレール部２に沿って移動自在な摺動部３とから主に構成されている。
【００１１】
まず、レール部２について説明する。
このレール部２は、ベッドＢの付属品等の取付穴ｈが設けられたフレームｆに取り付けられるものであり、この取付穴ｈに挿通可能な一対の段付支軸４，４が備えられている。この段付支軸４は前記取付穴ｈに挿通可能な小径軸部４ａと取付穴ｈよりも大径となる大径軸部４ｂが一体的に構成されたものであり、小径軸部４ａには雌ネジ部４ｃが設けられている。
そして、一方の段付支軸４の大径軸部４ｂには、側面視においてコ字状のブラケット５が固着されている。なお、このブラケット５には長孔部５ａが穿設されている。
また、他方の段付支軸４の大径軸部４ｂには、支持部材６が固着されている。なお、この支持部材６の端部には雌ネジ部（図示省略）あるいは、空孔部６ａが穿設され、その内側にナット部材７が固着されている。
そして、この支持部材６を前記ブラケット５に挿通して、ボルト部材８を螺着することにより、レール部２は構成されている。
【００１２】
続いて、摺動部３について説明する。
この摺動部３は、側断面視において下方開口した略コ字状の基部材９を備えている。この基部材９の両端部には付属品の取付部となる筒状部材１０，１０が固着されている。さらに、基部材９には所定間隔離間した状態で前記レール部２の任意の位置で保持拘束できるようにロック部１１，１１が設けられている。
このロック部１１は、基部材９の下面側に固着されたガイドブラケット１２を備えている。このガイドブラケット１２には、上面に空孔部１２ａが穿設されており、その空孔部１２ａの上部にナット部材１３が固着されており、下部にはナット部材１３に螺着されるボルト部材１４が進退可能な空孔部１５ａが設けられた規制片１５が固着されている。また、基部材９にも夫々のロック部１１，１１のボルト部材１４，１４が挿通可能な空孔部９ａ，９ａが穿設されている。そして、圧接部材１６に設けた溝部１６ａに前記規制片１５が遊嵌する状態でガイドブラケット１２の内部に配されている。なお、この圧接部材１６の側断面形状は少なくとも一側部に斜状の突起部１６ｂが設けられている。なお、１７は摺動部を覆うカバー部材であり、基部材９に穿設した空孔部９ｂ，９ｂにピン等によって固定されている。
また、前記ボルト部材１４は一般的なノブボルトとしても良いが、高齢者等は握力が低下された方も多く、十分な締め付けができない場合もある。そこで、使用者等がしっかりと握持できるように手に収まる程度の直径の円筒状の握持部１４ａを備えたボルト部材１４としても良い。この場合、指先だけでなく、手の平全体でボルト部材１４の締め付けができるので握力の低下された方であってもしっかりと固定ができる。さらに、この握持部１４ａの外周部には凹凸を一体的に構成したり、シボ加工する等より握持し易いものとしても良い。
【００１３】
上記のように構成された取付具１は、次のようにベッドＢに装着される。
まず、レール部２の支持部材６に摺動部３のガイドブラケット１２，１２を挿通する。然る後、ブラケット５を支持部材６に固定する。そして、ベッドＢのフレームｆに設けられた取付穴ｈ，ｈに夫々の段付支軸４，４を挿通して、反対側からボルト部材８，８でしっかりとレール部２をベッドＢに固定する。
【００１４】
このように装着された取付具１には、第４図に示すように、摺動部３の筒状部材１０，１０に、付属品として一般的に使用されているサイドレールＳを挿通して使用する。
まず、ロック部１１，１１のボルト部材１４，１４を緩め、圧接部材１６，１６に作用させていた押圧力を解除する。この状態では、支持部材６に沿って摺動部３が左右に移動自在となっているので、使用者に合わせてサイドレールＳの位置を調節することができるようになっている。
そして、所望の位置にサイドレールＳが配置されれば、ボルト部材１４，１４を締め付け、圧接部材１６，１６を支持部材６に圧接させることで、支持部材６に対して摺動部３が固定された状態となる。
【００１５】
また、第６図に示すように前記ガイドブラケット１２内側の前後面及びボルト部材１４を緩めたときのガイドブラケット１２の底面と圧接部材との間隔Ａ，Ａ’を、支持部材６の対角の頂点間隔Ｂ，Ｂ’よりも大きくしたものであれば、第７図に示すように摺動部材３を支持部材６に対して倒伏させることもできる。この場合には、サイドレールＳを布団等の置台として使用することもでき、至便である。
なお、本実施例では支持部材６として矩形状のパイプを用いている。これは、サイドレールＳ等の付属品の立設状態や倒伏状態での設定を行い易くするためのものであって、本実施例に限定するものではない。例えば、多角形状として倒伏状態を段階的に調節可能としたもの、パイプ状として無段階調節可能とするもの、中実材を使用して十分な強度を持たせたもの、中空材を使用して軽量化したもの等で構成しても何ら問題はない。
【００１６】
さらに、第８図に示すようにガイドブラケット１２の大きさ等は支持部材６に沿って移動可能な程度の大きさとして、上下方向に固着された筒状部材１０，１０の他に、前後方向に固着した筒状部材１８，１８を利用しても良い。この場合には、ボルト部材１４，１４を緩めることなく、サイドレールＳ等の付属品を脱着するだけで、サイドレールＳ等を倒伏状態とすることができ、とても至便である。
【００１７】
上述のように構成された取付具１は、ベッドＢに設けられた取付穴ｈ，ｈ，・・・の位置に左右されることなく、使用者等の所望の位置にサイドレールＳ等の付属品を配置することが可能である。また、ロック部１１のロック及びロック解除を行うボルト部材１４が摺動部３から上方に突出した状態に構成されているので、ベッドＢの使用者であってもあまり身体を移動させずに操作することができると共に、通常よりも大径の握持し易い握持部１４ａが具備されているので、より操作し易いものとなっている。
さらに、摺動部２にサイドレールＳ等の取付部となる筒状部材１０，１０が設けられているので、図面に示したように一般的なサイドレールＳが使用できるだけでなく、介助用のサイドレール等も使用できるので、従来から使用されているベッドＢやサイドレールＳをそのまま使用することもでき、経済的である。
【００１８】
なお、第４図で示すように本実施例では、ベッドＢのフレームｆに取付穴ｈが具備された取付部ｔが複数個回動自在に枢着されており、使用しない取付部ｔ，ｔ，・・・はベッドＢの床板下面に格納されるように構成されたベッドＢを用いている。そのため、段付支軸４，４をブラケット５及び支持部材６に小径軸部４ａ，４ａが夫々上向きとなるように固着している。このように構成することによって第９図に示すように摺動部３の筒状部材１０，１０上面とベッドＢの取付部ｔ，・・・上面の高さを合わせることができ、従来の一般的なサイドレールＳ等の付属品を使用する時の高さと同じようにすることができる。
そして、ベッドＢのフレームｆに直接取付孔ｈ，ｈ，・・・が具備されたベッドＢの場合には、レール部２を第１図に示す状態で上下逆、すなわち段付支軸４の小径軸部４ａが下方向きとなるようにフレームｆに装着すれば良い。なお、このように取り付けた場合には、サイドレールＳが通常よりも高い位置となる。
また、第１０図に示すようにレール部２において、段付支軸４，４にステー部材１９，１９を固着して、そのステー部材１９，１９にブラケット５あるいは支持部材６を固着したものとしても良い。このようにした場合には、サイドレールＳの高さは同じ状態で使用できる。
さらに、第１１図に示すように摺動部３において、ガイドブラケット１２，１２内で側方からボルト部材１４，１４で圧接部材１６，１６を押圧可能に構成し、ガイドブラケット１２，１２の上面に基部材９を配置するように構成したものでも良い。
これらのように、フレームｆに直接取付孔ｈ，ｈ，・・・が穿設されたベッドＢの場合には、サイドレールＳ等を装着する筒状部材１０，１０の上方がフレームｆと重ならないように配置されれば良く、本実施例に限定するものではない。
【実施例２】
【００１９】
次に実施例２として、摺動部３とサイドレールＳを一体的に構成した取付具１について説明する。
本実施例にかかる取付具１は、ベッドＢへの取付部となるレール部２と、このレール部２に沿って移動可能な摺動部３と、この摺動部３に固着され転倒や落下防止のための固定柵部２０と、立ち上がる際に手掛かりとなる可動柵部２１とから主に構成されている。
なお、実施例１と同じ構成部位については同じ符号を用いている。
【００２０】
まず、レール部２について説明する。このレール部２は実施例１と同様に構成されたものであり、本実施例で用いるベッドＢに合わせて、小径軸部４ａが下方向きとなる状態で使用している。
【００２１】
続いて、摺動部３について説明する。この摺動部３には、実施例１と同様に基部材９の前後両端部近傍に、前記レール部２に沿って移動調節自在とするロック部１１，１１が設けられている。
このロック部１１は、パイプ状の基部材９の両端部近傍に上下方向の空孔部９ａ，９ａをそれぞれ穿設し、この空孔部９ａ，９ａ下面側にナット部材１３，１３をそれぞれ固着すると共に、このナット部材１３，１３にそれぞれ遊嵌される圧接部材１６，１６が具備されている。このように、本実施例ではナット部材１３を実施例１における規制片１５と同様に圧接部材１６の抜け止めとして作用させるように構成している。
そして、この圧接部材１６，１６を覆うように略Ｕ字状のガイドブラケット１２，１２が基部材９に固着されている。なお、このガイドブラケット１２には空孔部１２ｂがそれぞれ穿設されている。
このように構成されたロック部１１，１１は、基部材９に設けられた空孔部９ａ，９ａにそれぞれ手締め可能なボルト部材１４，１４をそれぞれ挿通し、ナット部材１３，１３に螺着することにより、このボルト部材１４，１４の先端が圧接部材１６，１６を押圧させガイドブラケット１２，１２と圧接部材１６，１６とで前記レール部２の支持部材６をしっかりと保持し、取付具１を固定できるように構成されている。
なお、ボルト部材１４は第１４図に示すように一般的なノブボルトとしても良いが、実施例１と同様に第１５図に示すように握持部１４ａを構成したものが好ましい。
そして、このように構成された摺動部３の上部にＬ字パイプ２２の一端部を固着して、他端部には回動軸受２３を固着している。そして、この回動軸受２３と基部材９間にはパイプ２４が固着され、枠状に構成される。この枠の内部には複数の桟２５，２５，・・・が固着され、固定柵部２０とされている。なお、前記回動軸受２３は筒状部材であって、一部に爪部２３ａが一体的に構成されており、また、回動軸受２３の後部側には雌ネジ部２３ｂが設けられている。
【００２２】
上記のように構成された摺動部３及び固定柵部２０は、レール部２に挿通され固定される。まず、レール部２の支持部材６にガイドブラケット１２を挿通している。そして、支持部材６の端部にはブラケット５を挿通してボルト部材８を支持部材６内のナット部材７に螺着している。
なお、１７は摺動部３を覆うカバーであって、ガイドブラケット１２，１２に設けた空孔部１２ｂ，１２ｂに固定している。
【００２３】
次に、可動柵部２１について説明する。この可動柵部２１は、端部に回動軸２６を固着した上側パイプ２７を備えている。そして、この上側パイプ２７には側面視において略Ｌ字状の下側パイプ２８が固着されている。そして、上下のパイプ２７，２８によって構成された平行部に把持プレート２９を挿通し固定することで可動柵部２１とされている。なお、把持プレート２９には前方側に長孔部２９ａが穿設されており、把持できるようになっている。
さらに、前記回動軸２６には後部側に小径軸部２６ａが設けられている。また、上側パイプ２７の後端部には爪部２７ａが一体的に構成されている。そして、この爪部２７ａを覆い隠すようにカバーパイプ３０が固着されている。
【００２４】
上記のように構成された可動柵部２１は前述の固定柵部２０の回動軸受２３に可動柵部２１の回動軸２６を挿通して、回動軸受２３に設けた雌ネジ部２３ｂにネジ３１を螺着してネジ３１の先端が回動軸２６の小径軸部２６ａに嵌る状態とすることによって回動自在かつ抜け止めされる。
すなわち、このように構成された可動柵部２１は、可動柵部２１が垂下した状態で回動軸受２３の爪部２３ａと回動軸２６側の爪部２７ａが互いに接触しており、一方側への回動が拘束された状態となっている。この反対側へ回動させるとそれぞれの爪部２３ａ，２７ａの反対側の面が接触するまで回動される。なお、本実施例では約２７０度の回動範囲がとれるように爪部２３ａ，２７ａをそれぞれ構成している。
【００２５】
なお、可動柵部２１については本実施例では上述のように構成しているが、前後それぞれに把持できる部位を設けておくことが好ましく、例えば、パイプ等で枠状に構成したもので内部に補強部材を固着したものであっても何ら問題はない。また、内部には可動柵部を水平状態まで回動させたときに物が置ける程度のプレートが固着されたものであってもよい。
また、第１２図に示すように、固定柵部２０のパイプ２４に筒状部材３２を固着し、この筒状部材３２に回動自在となるように規制部材３３を取り付けておけば、可動柵部２１を垂下した状態で保持拘束しておくことができる。なお、規制部材３３は適度な緊迫力をもって取り付けられており、任意の回動位置で保持されるようになっている。
【００２６】
次に、本実施例の取付具１を使用するベッドＢについて第１７図に基づいて説明する。
まず、（ａ）図はベッドＢの床部を平面状態としたときの状態を示したものである。このとき、背受ボトム３４と腰受ボトム３５、及び脚受ボトム３６は略平面状態で保持されており、図示していないマットレス上で使用者Ｍは療養することができるようになっている。
そして、（ｂ）図は背受ボトム３４の背上げ状態を示したものである。このベッドＢでは、駆動手段３７を伸縮することによって背受ボトム３４が起伏し、腰受ボトム３５は上下に揺動し、さらに、脚受ボトム３６は腰受ボトム３５下方へと移動するように構成されている。
最後に、（ｃ）図はベッドＢを椅子状態としたときを示したものである。このとき、背受ボトム３４は起立した状態となり、腰受ボトム３５は略水平な状態に戻り、脚受ボトム３６は腰受ボトム３５の下方へ収納されている。
このように、このベッドＢでは（ａ）図の状態で療養できると共に、駆動手段３７を作動させることによって、椅子状態に変形することができる。したがって、ベッドＢ上で仰臥姿勢から着座姿勢になることがベッドＢの駆動力によって行われるので従来のベッドのように身体を反転させる必要がなく、離床をより簡単に行うことができるベッドＢとなっている。
【００２７】
続いて上述したベッドＢへの取付具１の取付について説明する。
まず、取付具１をベッドＢに取り付けるには、ベッドＢに設けられた複数の空孔部、あるいはベッドＢのフレームｆに固着されている筒状部材３８，３８を使用する。
初めに、支持部材６に摺動部３のガイドブラケット１２，１２を挿通した後、ベッドＢ側の空孔部あるいは筒状部材３８，３８にレール部２の段付支軸４，４をそれぞれ挿通して、下面側からボルト（図示省略）を使用して固定する。
なお、第１７図のように、ベッドＢのフレームｆにブラケットパイプ３９があらかじめ固着されている場合には、筒状部材３８に段付支軸４を挿通し、固定した後、ブラケットパイプ３９と支持部材６を固定すればよい。
【００２８】
上記のように取り付けられた取付具１は、ロック部１１，１１のボルト部材１４，１４を緩めると支持部材６に沿って前後に移動自在となるので、好みの位置に合わせて取付具１を使用することができる（第１８図参照）。
例えば、仰臥状態で布団が落ちないようにすると共に周囲の状況は確認できるように頭部側に隙間を空けておくこともできる。
また、背受ボトム３４を起立させた状態で、取付具１の可動柵部２１を内側に回動させて可動柵部２１の把持部を掴み易い位置に調節することも容易にできるだけでなく、可動柵部２１には把持プレート２９が取り付けられているので、テーブルとしても使用できるものとなっている。
【００２９】
さらに、この取付具１のロック部１１，１１は、第１６図に示すようにボルト部材１４，１４を緩めることで、取付具１を立設状態から９０度倒伏した状態とすることもでき、取付具１を取り外すことなくベッドＢの側方を開放することができる。この状態では、取付具１の固定柵部２０及び可動柵部２１の広い面を布団等の置台として使用することもできる。
また、図示していないが、上述と同様にボルト部材１４，１４を緩めることで、取付具１と固定柵部２０及び可動柵部２１を垂下させた状態とすることもできる。このようにして使用すると、ベッドＢの側方からの離床もできるようになる。
【００３０】
このように、本実施例での取付具１も、ベッドＢの使用者Ｍに合わせて前後に取付位置の調節ができるので使用者Ｍが最も使い易い状態とすることができる。
さらに、可動柵部２１には、把持プレート２９が設けられているのでテーブルとしても使用することができる。
また、取付具１を側方に９０度倒伏した状態で固定することもできると共に、垂下させた状態とすることもできるので、より便利なものとなっている。
【図面の簡単な説明】
【００３１】
【図１】取付具を示す全体正面図（実施例１）
【図２】取付具の構成を示す一部断面斜視図（実施例１）
【図３】（ａ）取付具を示す正面図，（ｂ）その側断面図（実施例１）
【図４】取付具の使用状態を示す正面図（実施例１）
【図５】取付具の使用状態を示す平面図（実施例１）
【図６】支持部材とガイドブラケットを示す側断面図（実施例１）
【図７】摺動部を倒伏させた状態を示す側断面図（実施例１）
【図８】別の摺動部を示す正面図（実施例１）
【図９】（ａ）取付具の装着状態を示す正面図，（ｂ）その側面図（実施例１）
【図１０】（ａ）異なる取付具の装着状態を示す要部正面図，（ｂ）その要部側面図（実施例１）
【図１１】（ａ）異なる取付具の装着状態を示す要部正面図，（ｂ）その要部側面図（実施例１）
【図１２】取付具を示す全体正面図（実施例２）
【図１３】各部の構成を示す説明図（実施例２）
【図１４】取付具の全体斜視図（実施例２）
【図１５】別のボルト部材を使用した取付具を示す全体斜視図（実施例２）
【図１６】ロック部の作用を示す要部側断面図（実施例２）
【図１７】取付具を使用するベッドの作用を説明する全体正面図（実施例２）
【図１８】取付具の使用状態を説明する全体正面図１（実施例２）
【図１９】取付具の使用状態を説明する全体正面図２（実施例２）
【符号の説明】
【００３２】
Ｂ      ベッド
ｆ      フレーム
ｔ      付属品等の取付部
１      ベッドにおける付属品等の取付具
２      レール部
３      摺動部
６      支持部材
１０    筒状部材
１１    ロック部
１２    ガイドブラケット
１４    ボルト部材
１４ａ  握持部
１６    圧接部材
２０    固定柵部
２１    可動柵部
【図１】
2007252881.tif 000003
【図２】
2007252881.tif 000004
【図３】
2007252881.tif 000005
【図４】
2007252881.tif 000006
【図５】
2007252881.tif 000007
【図６】
2007252881.tif 000008
【図７】
2007252881.tif 000009
【図８】
2007252881.tif 000010
【図９】
2007252881.tif 000011
【図１０】
2007252881.tif 000012
【図１１】
2007252881.tif 000013
【図１２】
2007252881.tif 000014
【図１３】
2007252881.tif 000015
【図１４】
2007252881.tif 000016
【図１５】
2007252881.tif 000017
【図１６】
2007252881.tif 000018
【図１７】
2007252881.tif 000019
【図１８】
2007252881.tif 000020
【図１９】
2007252881.tif 000021